(57)【要約】【課題】印刷しない場合にも、記録メディアの取り忘れをユーザに知らせることができ、また、記録メディアの取り忘れを防ぐことができる記録装置を提供することを目的とする。【解決手段】記録メディアの読み書きを行う読み書き手段と、上記記録メディアの内容を表示する表示手段と、記録装置本体に上記記録メディアが装着されていることを検出する記録メディア装着検出手段と、上記記録装置本体に上記記録メディアを挿入した状態で電源キーを押すと、電源の切断を阻止し、また、上記記録メディアの取り忘れを上記表示手段に表示する取り忘れ防止手段とを有する記録装置である。【選択図】図５
2007320291.tif 000002
【特許請求の範囲】
【請求項１】
記録メディアの読み書きを行う読み書き手段と；
上記記録メディアの内容を表示する表示手段と；
記録装置本体に上記記録メディアが装着されていることを検出する記録メディア装着検出手段と；
上記記録装置本体に上記記録メディアを挿入した状態で電源キーを押すと、電源の切断を阻止し、また、上記記録メディアの取り忘れを上記表示手段に表示する取り忘れ防止手段と；
を有することを特徴とする記録装置。
【請求項２】
請求項１において、
上記取り忘れ防止手段は、上記記録装置本体に記録メディアを挿入した状態で、電源キーを押し、上記記録メディアがユーザに取り出された場合、または記録メディアを挿入したままで電源を切ることをユーザが認めた場合に、上記電源を切る手段であることを特徴とする記録装置。
【請求項３】
請求項１において、
上記取り忘れ防止手段は、上記記録装置本体に記録メディアが挿入されている状態で、上記記録装置本体の操作が一定時間行われず、また、電源キーが押されなければ、上記記録メディアが取り忘れられていることを、上記表示装置に表示する手段であることを特徴とする記録装置。
【請求項４】
請求項１において、
上記取り忘れ防止手段は、上記表示装置に、上記記録メディアの取り忘れを表示するとともに、上記記録メディアの取り忘れを、記録紙へ印刷する手段であることを特徴とする記録装置。
【発明の詳細な説明】
【技術分野】
【０００１】
本発明は、記録装置、記録装置の記録メディアの取り扱いに関する。より詳細には、記録装置本体に記録メディアの読み書き等を行う手段と、記録メディアの内容を表示する表示手段とを有する記録装置において、記録メディアの取り忘れ防止を通知する記録装置に関する。
【背景技術】
【０００２】
たとえば、ワードプロセッサ、パーソナルコンピュータ、ファクシミリ等における情報出力装置として、文字、画像等の情報を、用紙やフィルム等のシート状の記録媒体に記録するプリンタが広く使用されている。
【０００３】
プリンタの記録方式として、様々な方式が知られ、用紙等の記録媒体に非接触記録が可能であり、カラー化が容易であり、静粛性に富む等の理由で、インクジェット方式が近年特に注目されている。
【０００４】
なかでも、所望の記録情報に応じてインクを吐出する記録ヘッドを搭載しているキャリッジを、用紙等の記録媒体の搬送方向と交差する方向に往復走査させながら記録するシリアル記録方式が、安価で小型化が容易であるので、一般的に広く用いられている。
【０００５】
また、近年は、従来の印刷機能のみのプリンタに加えて、コピー機能、記録メディア読み取り機能、液晶等を備えた記録装置（複合機）へのニーズが高まっている。
【０００６】
この記録メディア読み取り機能を備えた記録装置（複合機）のカードスロットでは、デザイン・防塵対策等の理由から、近年カードスロットカバーが取り付けられているモデルが多い。
【０００７】
このような記録装置では、デジカメ等で撮影した画像を印刷するために、記録メディアを記録装置に挿入して印刷することがある。この場合、印刷終了時に記録メディアを記録装置に挿入したままにし、記録メディアを取り忘れることがある。
【０００８】
また、デザイン・防塵対策等の理由で取り付けられているカードスロットカバーが、何らかの理由で閉じることによって、記録メディアの有無を、一目で判断することが難しくなり、これによって、記録メディアの取り忘れが生じる原因である。
【０００９】
また、液晶等を備えている記録装置でも、機器の操作を一定時間行わないと、液晶のバックライト等が消える。したがって、記録メディアを記録装置に挿入しているかどうかが分かりにくく、場合によっては、液晶のバックライト等が消えたまま、記録装置本体の電源キーを押し、記録装置の電源を切り、記録メディアを取り忘れることがある。
【００１０】
従来、「記録メディアを取り外しできます」とのポップメニューを、印刷中に表示することによって、記録メディアの取り忘れを防ぐ方法が知られている（たとえば、特許文献１参照。）。
【００１１】
また、「印刷終了後に、記録メディアの実装／非実装を検知し、記録メディアを取り忘れていれば、ユーザに注意を促す」ことによって、記録メディアの取り忘れを防ぐ方法も知られている（たとえば、特許文献２参照）。
【特許文献１】特開２００４−２８０４１７号公報
【特許文献２】特開２００５−８５０００号公報
【発明の開示】
【発明が解決しようとする課題】
【００１２】
上記従来例では、印刷中や印刷終了をトリガーとしてメッセージを表示する。したがって、記録メディアを挿入したが、記録メディアのデータを読み取るだけで印刷を行わなかった場合や、液晶等のバックライトが消えているために、表示されているメッセージを見落とした場合に、問題が生じる。すなわち、これらの場合に、記録装置本体の電源を切ると、記録メディアを取り忘れるという問題がある。
【００１３】
つまり、上記従来例では、印刷しない場合には、記録メディアの取り忘れをユーザに知らせることができず、また、記録メディアの取り忘れを防ぐことができないという問題がある。
【００１４】
本発明は、印刷しない場合にも、記録メディアの取り忘れをユーザに知らせることができ、また、記録メディアの取り忘れを防ぐことができる記録装置を提供することを目的とする。
【課題を解決するための手段】
【００１５】
本発明は、記録メディアの読み書きを行う読み書き手段と、上記記録メディアの内容を表示する表示手段と、記録装置本体に上記記録メディアが装着されていることを検出する記録メディア装着検出手段と、上記記録装置本体に上記記録メディアを挿入した状態で電源キーを押すと、電源の切断を阻止し、また、上記記録メディアの取り忘れを上記表示手段に表示する取り忘れ防止手段とを有する記録装置である。
【発明の効果】
【００１６】
本発明によれば、印刷しない場合にも、記録メディアの取り忘れをユーザに知らせることができ、また、記録メディアの取り忘れを防ぐことができるという効果を奏する。
【発明を実施するための最良の形態】
【００１７】
発明を実施するための最良の形態は、次の実施例である。
【実施例１】
【００１８】
＜記録装置の概略構成＞
図１は、本発明の実施例１であるインクジェット記録装置１００を示すブロック図である。
【００１９】
インクジェット記録装置１００は、制御部１０と、表示／操作部２０と、原稿読取部５０と、記録部６０と、記録メディア７０と、メディアリーダ８０と、記録メディア装着検出手段９０とを有する。
【００２０】
図２は、インクジェット記録装置１００の外形を示す斜視図である。
【００２１】
インクジェット記録装置１００は、液晶４２と、カードスロット８１と、カードスロットカバー８３とを有する。
【００２２】
図３は、インクジェット記録装置１００におけるカードスロット８１の詳細を示す図である。
【００２３】
カードスロット８１は、カードスロット挿入口８２と、アクセスランプ８４とを有し、記録メディア（カード）７０が挿入される。また、カードスロット８１には、図３に示していないが、記録メディア装着検出手段９０が設けられている。
【００２４】
図４は、実施例１における表示／操作部２０の詳細を示す図である。
【００２５】
表示／操作部２０は、記録装置本体の電源スイッチ２１と、エラーランプ２２と、カセットランプ２３と、オートシートフィーダランプ２４と、給紙切替スイッチ２５と、メニュースイッチ２６と、用紙／設定スイッチ２７とを有する。また、表示／操作部２０は、戻るスイッチ２８と、日付設定スイッチ２９と、トリミングスイッチ３０と、フォトナビシートスイッチ３１と、コピースイッチ３２と、スキャンスイッチ３３と、写真／フィルムスイッチ３４とを有する。さらに、表示／操作部２０は、メモリカードスイッチ３５と、ＯＫスイッチ３６と、矢印スイッチ３７と、電源ランプ３８と、モノクロコピースタートスイッチ３９と、カラーコピースタートスイッチ４０と、ストップ／リセットスイッチ４１とを有する。
【００２６】
記録メディア７０を使用して印刷する場合、記録装置本体の電源スイッチ２１を押して、カードスロットカバー８３を開け、カードスロット８１に記録メディア７０を挿入する。記録メディア７０を挿入すると、アクセスランプ８４が状態に応じて点灯・または点滅する。
【００２７】
記録メディア７０を挿入した後に、メモリカードスイッチ３５を押すことによって、記録メディア７０の読み取りや、記録メディア７０からの印刷を行うことができる。
【００２８】
次に、実施例１において、記録メディア７０から印刷を行った後に、記録装置本体の電源スイッチ２１を押した場合の動作について説明する。
【００２９】
図５は、実施例１において、記録メディア７０から印刷を行った後に、記録装置本体の電源スイッチ２１を押した場合の動作を示すフローチャートである。
【００３０】
まず、電源キーが押されると、Ｓ２で、記録メディア７０の有無を判断する。ここで記録メディア７０がないと判断できたら、電源ＯＦＦのシーケンスＳ５に移行し、電源をＯＦＦする。記録メディア７０がある場合、液晶等の表示装置を使って、「記録メディアを取り忘れています」という旨を表示し、Ｓ４に移行する。
【００３１】
Ｓ４では、「記録メディアを取り出す」、または「記録メディアを挿入したままで電源を切る」のいずれかをユーザに選択させる。ユーザが記録メディア７０を取り出さないで電源を切ることを選ぶと、電源ＯＦＦのシーケンスＳ５に移行し、電源をＯＦＦする。また、記録メディア７０を取り出すことをユーザが選択すると、一定時間をおいて、再びＳ２に移行し、記録メディア７０の有無を判断する。
【００３２】
記録メディア７０が取り出されていれば、電源ＯＦＦのシーケンスＳ５に移行し、電源をＯＦＦする。記録メディア７０が取り出されていなければ、上記動作を行い、記録メディア７０の取り出しの有無をユーザに判断させる。
【００３３】
上記実施例において、ユーザが記録装置本体の近くにいない場合が考えられる。この場合、Ｓ４でメディアの取り出し有無を判断するときに、次の操作が入るまで待機する。
【００３４】
上記のように、本体の電源キーと記録メディア７０の取り出しの有無とを関連づける。これによって、記録メディア７０を取り忘れていることをユーザに知らせ、かつ記録メディア７０の取り出しの有無をユーザに判断させることによって、記録メディア７０の取り忘れを防止することができる。
【００３５】
次に、記録メディア７０が挿入された状態で、一定時間、記録装置本体が操作されなかった場合の動作について説明する。
【００３６】
図６は、実施例１において、記録メディア７０が挿入された状態で、一定時間、記録装置本体が操作されなかった場合の動作を示すフローチャートである。
【００３７】
まず、記録装置本体が一定時間何も操作がされていないと、Ｓ１２で、記録メディア７０の有無を判断する。ここで、記録メディア７０がないと判断すれば、Ｓ１５に移行し、スリープ状態へ移行する。
【００３８】
記録メディア７０があれば、液晶等の表示装置４２を使い、「記録メディアを取り忘れています」という旨を表示させ、Ｓ１４に移行する。
【００３９】
Ｓ１４では「記録メディアを取り出す、または記録メディアを取り出して電源をＯＦＦする」、「記録メディアを挿入した、または記録メディアを挿入したまま電源をＯＦＦする」のいずれかをユーザに選択させる。ユーザが記録メディア７０を取り出さない、または記録メディアを取り出さないで電源をＯＦＦすることを選べば、Ｓ１５に移行し、スリープ状態へ移行し、または電源をＯＦＦする。
【００４０】
一方、記録メディア７０を取り出す、または記録メディアを取り出して電源をＯＦＦすることをユーザが選択すれば、一定時間をおいて再びＳ１２に移行し、記録メディア７０の有無を判断する。記録メディア７０が取り出されていれば、Ｓ１５に移行し、スリープ状態へ移行し、または電源をＯＦＦする。記録メディア７０が取り出されていなければ、上記動作を実行し、記録メディア７０の取り出しの有無をユーザに判断させる。
【００４１】
上記実施例において、ユーザが記録装置本体の近くにいない場合が考えられる。この場合、Ｓ１４でメディアの取り出し有無を判断するときに、次の操作が入るまで待機する。
【００４２】
図５、図６に示す例は、液晶等の表示装置を備える実施例である。安価な複合機等では、液晶等の表示装置を備えていない場合もある。このように液晶等の表示装置を備えていない場合、記録装置本体の状態を示すＬＥＤ等を使用し、記録メディア７０の取り忘れをユーザに知らせる。
【００４３】
また、一定時間操作がなければ、記録用紙に「記録メディアを取り忘れています」旨を印刷することによって、記録メディア７０の取り忘れをユーザに知らせ、記録メディア７０の取り忘れを防ぐことができる。
【００４４】
なお、制御部１０は、記録装置本体に記録メディアを挿入した状態で電源キーを押すと、電源の切断を阻止し、また、記録メディアの取り忘れを表示手段に表示する取り忘れ防止手段の例である。
【００４５】
なお、上記取り忘れ防止手段は、上記記録装置本体に記録メディアを挿入した状態で、電源キーを押し、上記記録メディアをユーザが取り出した場合、または記録メディアを挿入したままで電源を切ることをユーザが認めた場合に、上記電源を切る手段である。
【００４６】
また、上記取り忘れ防止手段は、上記記録装置本体に記録メディアが挿入されている状態で、上記記録装置本体の操作が一定時間行われず、また、電源キーが押されなければ、上記記録メディアが取り忘れられていることを、上記表示装置に表示する手段である。
【００４７】
さらに、上記取り忘れ防止手段は、上記表示装置に、上記記録メディアの取り忘れを表示するとともに、上記記録メディアの取り忘れを、記録紙へ印刷する手段である。
【図面の簡単な説明】
【００４８】
【図１】本発明の実施例１であるインクジェット記録装置１００を示すブロック図である。
【図２】インクジェット記録装置１００の外形を示す斜視図である。
【図３】インクジェット記録装置１００におけるカードスロット８１の詳細を示す図である。
【図４】実施例１における表示／操作部２０の詳細を示す図である。
【図５】実施例１において、記録メディア７０から印刷を行った直後に、記録装置本体の電源スイッチ２１を押した場合の動作を示すフローチャートである。
【図６】実施例１において、記録メディア７０が挿入された状態で、一定時間、記録装置本体が操作されなかった場合の動作を示すフローチャートである。
【符号の説明】
【００４９】
１００…インクジェット記録装置、
１０…制御部、
２０…表示／操作部、
５０…原稿読取部、
６０…記録部、
７０…記録メディア、
８０…メディアリーダ、
９０…記録メディア装着検出手段。
【図１】
2007320291.tif 000003
【図２】
2007320291.tif 000004
【図３】
2007320291.tif 000005
【図４】
2007320291.tif 000006
【図５】
2007320291.tif 000007
【図６】
2007320291.tif 000008